(57)【要約】【課題】現場施工性に優れた屋根トラスの連結構造を得る。【解決手段】屋根トラス１１を構成するガセットプレート１６の下部には、頭つなぎ材１７が一体的に取り付けられている。さらにこの頭つなぎ材１７の下面には壁パネル２１に連結される連結板部１８が取り付けられている。連結板部１８は、当接板部１８ａと、その一端から当接板部１８ａの延びる方向の直角方向かつ下方へ延びる取付板部１８ｂとを有している。壁パネル２１を構成するランナー材２５のウェブ面には、その壁パネル２１の短手方向に延びるスリット２５ａが形成されている。屋根トラス１１に取り付けられている連結板部１８の取付部１８ｂが壁パネル２１のスリット２５ａに挿入された状態で、取付部１８ｂと壁パネル２１を構成するスタッド２４とがボルト固定されている。【選択図】図１
2008208652.tif 000002
【特許請求の範囲】
【請求項１】
屋根トラスを外壁上に載置して当該外壁に取り付ける屋根トラスの連結構造であって、前記屋根トラスを前記外壁上に載置した仮止め状態で少なくとも軒出入寸法が変更不能となるように位置決めする位置決め手段を備えたことを特徴とする屋根トラスの連結構造。
【請求項２】
前記位置決め手段は、前記屋根トラスと前記外壁との間に設けられ、前記屋根トラスの上方以外への移動が規制されるものである請求項１に記載の屋根トラスの連結構造。
【請求項３】
前記規制は、凹凸関係にある凹部と凸部とが互いに係合することにより行われる請求項２に記載の屋根トラスの連結構造。
【請求項４】
前記凹凸関係は、前記屋根トラス及び前記外壁の一方に設けられた板状の連結板部と、他方に設けられて前記連結板部が挿入されるスリットとによって構築されている請求項３に記載の屋根トラスの連結構造。
【請求項５】
前記連結板部及び前記スリットの一方が前記外壁の上面に設けられ、他方が前記屋根トラスの下面に設けられている請求項４に記載の屋根トラスの連結構造。
【請求項６】
前記スリットが前記外壁に設けられるとともに前記連結板部が前記屋根トラスに設けられ、前記連結板部が前記スリットに挿入された状態で当該連結板部が前記外壁の下地を構成する柱材の側面に固定されている請求項４又は５に記載の屋根トラスの連結構造。
【請求項７】
前記スリットが前記外壁に設けられ、当該外壁の下地を構成する横材に形成されている請求項４乃至６に記載の屋根トラスの連結構造。
【請求項８】
前記連結板部が頭つなぎ材を介して前記屋根トラスに設けられている請求項４乃至７に記載の屋根トラスの連結構造。
【請求項９】
前記屋根トラスは少なくとも上弦材と下弦材とこれらを連結する連結金具とを備え、前記位置決め手段のうち前記屋根トラス側の構成は前記連結金具に設けられていることを特徴とする請求項１乃至８のいずれかに記載の屋根トラスの連結構造。
【請求項１０】
前記屋根トラスは少なくとも上弦材及び下弦材を含む複数のトラス材とこれらトラス材を連結する連結金具とを備え、前記連結金具には連結口が形成されており、前記連結口に前記トラス材が挿入又は嵌め込まれることにより当該トラス材が位置決めされて前記屋根トラスの全体が形成されている請求項１乃至９のいずれかに記載の屋根トラスの連結構造。
【請求項１１】
前記各トラス材は長手方向の一側が開口された溝形鋼であり、前記各トラス材のウェブ面が同一側を向くようにかつ同一平面内に当該各トラス材が配置されるように前記連結金具に連結されている請求項１０に記載の屋根トラスの連結構造。
【発明の詳細な説明】
【技術分野】
【０００１】
本発明は、屋根トラスの連結構造に関する。
【背景技術】
【０００２】
住宅等の建物において、屋根トラスと軒桁等の横架材や外壁上部（以下、外壁等という）とをあおり止め金物により連結する屋根トラスの連結構造が知られている。あおり止め金物としては、各種提案されている。この一例を図７に基づいて説明する。
【０００３】
図７に示すように、あおり止め金物５１は、金属板を横架材５２の上面及び両側面に当接できるように折り曲げ形成されてなる一対の第１取付板部５１ａと、屋根トラス５３を構成するトラス材５４の上面及び側面に当接できるように折り曲げ形成されてなる第２取付板部５１ｂとを備えており、一対の第１取付板部５１ａ上部の内側縁と、第２取付板部５１ｂの下端とが連結されているものである（例えば、特許文献１参照）。
【０００４】
そして、あおり止め金物５１の第１取付板部５１ｂが横架材５２の上面及び両側面に当接するように取り付けられ、その状態であおり止め金物５１に対してトラス材５４が挿入され、横架材５２の両側面にてビス５５により固定されている。
【０００５】
これによれば、あおり止め金物５１の第２取付板部５１ｂがトラス材５４の上部及び両側面に面接触するとともに、第１取付板部５１ａが横架材５２の上面及び両側面に面接触してビス固定されることから、支持強度を向上させることができるものとされている。
【特許文献１】特開平９−２８７２３４号公報
【発明の開示】
【発明が解決しようとする課題】
【０００６】
しかしながら、上記技術では、あおり止め金物５１の構造に起因して、屋根トラス５３の長手方向への移動が規制されていないため、屋根トラス５３の横架材５２への連結作業の際に、当該屋根トラス５３の長手方向への位置調整作業を伴うこととなる。したがって、一般に屋根が複数の屋根トラス５３から構成されることを考慮した場合、これら屋根トラス５３の位置調整作業が大きな負担となる懸念があり、現場施工性の観点では不十分であると考えられる。
【０００７】
そこで、本発明は、上記事情に鑑みてなされたものであり、現場施工性に優れた屋根トラスの連結構造を提供することを主たる目的とするものである。
【課題を解決するための手段】
【０００８】
本発明は、上記課題を解決するために、以下の手段を採用した。
【０００９】
すなわち、第１の発明では、屋根トラスを外壁上に載置して当該外壁に取り付ける屋根トラスの連結構造であって、前記屋根トラスを前記外壁上に載置した仮止め状態で少なくとも軒出入寸法が変更不能となるように位置決めする位置決め手段を備えたことを特徴とする。
【００１０】
この第１の発明によれば、屋根トラスを外壁上に載置した仮止め状態で少なくとも軒出入寸法が変更不能となるように位置決めする位置決め手段が備えられている。このため、屋根トラスを外壁にボルトやビス等により固定する前の仮止め状態であっても、少なくとも軒出入寸法が決まる。その結果、屋根トラスを外壁に連結する際に所望の軒出入寸法を得るための位置調整を行う必要がないため、現場施工性を向上させることができる。
【００１１】
また、第２の発明では、第１の発明において、前記位置決め手段は、前記屋根トラスと前記外壁との間に設けられ、前記屋根トラスの上方以外への移動が規制されるものであることを特徴とする。
【００１２】
第２の発明によれば、位置決め手段は、屋根トラスと外壁との間に設けられ、屋根トラスの上方以外への移動が規制される。このため、強風等による屋根トラスの位置ずれを抑制することができる。また、これに伴って外壁が強風等により倒れることを抑制する効果も奏する。
【００１３】
第３の発明では、第２の発明において、前記規制は、凹凸関係にある凹部と凸部とが互いに係合することにより行われることを特徴とする。
【００１４】
第３の発明によれば、屋根トラスの上方以外への規制は、凹凸関係にある凹部と凸部とが互いに係合することにより行われる。このため、複雑な位置決め手段を要せず、屋根トラスの位置決めを好適に行うことができる
第４の発明では、第３の発明において、前記凹凸関係は、前記屋根トラス及び前記外壁の一方に設けられた板状の連結板部と、他方に設けられて前記連結板部が挿入されるスリットとによって構築されていることを特徴とする。
【００１５】
第４の発明によれば、屋根トラス及び外壁の一方に設けられた連結板部を他方に設けられたスリットに挿入するだけで屋根トラスの移動が規制されるため、屋根トラスの位置決めが容易となる。
【００１６】
第５の発明では、第４の発明において、前記連結板部及び前記スリットの一方が前記外壁の上面に設けられ、他方が前記屋根トラスの下面に設けられていることを特徴とする。
【００１７】
第５の発明によれば、連結板部及びスリットの一方が外壁の上面に設けられ、他方が屋根トラスの下面に設けられている。このため、スリットに連結板部を挿入するようにして屋根トラスを外壁に載置するだけで屋根トラスの位置が決まる。また、屋根トラスの下面と外壁の上面との間において、連結板部がスリットに挿入されて外壁内又は屋根トラス内に収まるため、連結板部及びスリットが外壁の屋外側側面に露出することがない。その結果、位置決め手段が要因となって建物の美観が損なわれることがない。
【００１８】
第６の発明では、第４又は第５の発明において、前記スリットが前記外壁に設けられるとともに前記連結板部が前記屋根トラスに設けられ、前記連結板部が前記スリットに挿入された状態で当該連結板部が前記外壁の下地を構成する柱材の側面に固定されていることを特徴とする。
【００１９】
第６の発明によれば、スリットが外壁に設けられるとともに連結板部が屋根トラスに設けられ、連結板部がスリットに挿入された状態で当該連結板部が外壁の下地を構成する柱材の側面に固定されている。このため、従来技術のようにおあり止め金物を外壁に取り付けて屋根トラスを連結する場合と比較して、より強固に連結することができる。
【００２０】
第７の発明では、第４乃至第６の発明において、前記スリットが前記外壁に設けられ、当該外壁の下地を構成する横材に形成されていることを特徴とする。
【００２１】
第７によれば、スリットが外壁の下地を構成する横材に形成されているため、例えば、外壁として外装材と外壁下地とから構成される壁パネルを用いた場合には、外装材と無関係に外壁下地側で処理できる利点がある。すなわち、工場において、横材にスリットを形成する製造工程と外装材の製造工程とを別工程とすることができるため、工場生産に適している利点がある。
【００２２】
第８の発明では、第４乃至第７の発明において、前記連結板部が頭つなぎ材を介して前記屋根トラスに設けられていることを特徴とする。
【００２３】
第８の発明によれば、前記連結板部が頭つなぎ材を介して前記屋根トラスに設けられている。このため、屋根トラスを外壁上のどの部分に載置しても、頭つなぎ材を介して載置されることとなる。したがって、例えば、頭つなぎ材の長手方向の長さ寸法を屋根トラスの奥行寸法と同一寸法程度にすることも可能である。その結果、頭つなぎ材が外壁上に沿って設けられる構成と比較して、大幅なコスト低減を図ることができる。
【００２４】
第９の発明では、第１至第８の発明において、前記屋根トラスは少なくとも上弦材と下弦材とこれらを連結する連結金具とを備え、前記位置決め手段のうち前記屋根トラス側の構成は前記連結金具に設けられていることを特徴とする。
【００２５】
第９の発明によれば、位置決め手段のうち屋根トラス側の構成が連結金具に設けられているため、上弦材や下弦材などのトラス材に位置決め手段に対応した変更を加える必要がなく、連結金具にだけ変更を加えればよい。その結果、既往のトラス材をそのまま用いることができる。
【００２６】
第１０の発明では、第１乃至第９のいずれかに記載の発明において、前記屋根トラスは少なくとも上弦材及び下弦材を含む複数のトラス材とこれらトラス材を連結する連結金具とを備え、前記連結金具には連結口が形成されており、前記連結口に前記トラス材が挿入又は嵌め込まれることにより当該トラス材が位置決めされて前記屋根トラスの全体が形成されていることを特徴とする。
【００２７】
第１０の発明によれば、連結金具に形成された連結口に各トラス材が挿入又は嵌め込まれることにより当該各トラス材が位置決めされて屋根トラスの全体が形成されている。このため、上弦材や下弦材などのトラス材の位置調整を行わなくても屋根トラス全体を形成することができる。その結果、例えば、現場においても、屋根トラスを容易に形成することができる。また、この場合、トラス材や連結具を運搬車に効率的に積載して現場まで運搬することができる。
【００２８】
第１１の発明では、第１０の発明において、前記各トラス材は長手方向の一側が開口された溝形鋼であり、前記各トラス材のウェブ面が同一側を向くようにかつ同一平面内に当該各トラス材が配置されるように前記連結金具に連結されていることを特徴とする。
【００２９】
第１１の発明によれば、上弦材及び下弦材を含む各トラス材は長手方向の一側が開口された溝形鋼であり、各トラス材のウェブ面が同一側を向くようにかつ同一平面内に当該各トラス材が配置されるように連結金具に連結されている。ここで、従来技術では上弦材や下弦材などのトラス材のウェブ面と板状のガセットプレートの表面とを当接させて連結する。複数のトラス材をガセットプレートに連結する場合には、ガセットプレートの片面だけでなくその裏面にもトラス材のウェブ面を当接させて連結する。この場合、その連結箇所においては２本分のトラス材の厚さがあることとなる。このため、屋根トラスがかさばって運搬時に不利な面がある。これに対し、本発明では、同一平面内に各トラス材が配置されるため、トラス形状をなす屋根トラスであっても効率的に運搬車に積載することができる。また、各トラス材のウェブ面が同一側を向いているため、新たな作業を伴うことなく必要に応じてそのウェブ面に跨って他のトラス材を連結することができる。
【発明を実施するための最良の形態】
【００３０】
［第１の実施形態］
以下に、第１の実施形態について図面を参照しつつ説明する。なお、図１（ａ）は第１の実施形態における屋根トラスと壁パネルとが分離している状態を示す斜視図、（ｂ）は屋根トラスと壁パネルとの連結状態を示す斜視図、図２は屋根トラスと壁パネルとの連結状態を示す縦断面図、図３は屋根トラス全体を示す立面図である。
【００３１】
図１に示すように、第１実施形態は、鉄骨骨組壁工法により建造された建物１０（スチールハウス）の、屋根トラス１１と壁パネル２１との連結構造に適用したものである。
【００３２】
図３に示すように、屋根トラス１１（ハウトラス）は、上弦材１２と、下弦材１３と、その両者の間に設けられる斜材１４、束材１５及びこれらトラス材を連結するガセットプレート１６とからなり、全体として略二等辺三角形状に形成されている。
【００３３】
ガセットプレート１６は薄肉板状とされ、トラス材同士の連結部分に配設されている。
【００３４】
上弦材１２、下弦材１３、斜材１４及び束材１５のトラス材は溝形鋼とされ、これらトラス材のウェブ面とガセットプレート１６の表面とが当接された状態でボルト等により連結されている。
【００３５】
図１（ａ）に示すように、上弦材１２の下端部近傍には、その下端部が斜め下方に突出するようにして下弦材１３の先端部がガセットプレート１６により連結されている。この上弦材１２の突出している部分が建物１０の軒先部となる。
【００３６】
ガセットプレート１６の下部には、木製の頭つなぎ材１７が一体的に取り付けられている。頭つなぎ材１７の幅寸法（横寸法）は、上弦材１２の幅寸法（フランジの長さ寸法）とガセットプレート１６の厚さ寸法との合計寸法と略同一寸法に設定されている（図２参照）。
【００３７】
頭つなぎ材１７の下面には、壁パネル２１に連結される連結板部１８が一体的に取り付けられている。連結板部１８は、当接板部１８ａと、その一端から当接板部１８ａの延びる方向の直角方向かつ下方へ延びる取付板部１８ｂとを有し、全体として断面Ｌ字形状をなしている。当接板部１８ａの幅寸法は、頭つなぎ材１７の幅寸法と略同一寸法に設定されている。取付板部１８ｂにはボルト孔１８ｃが形成されている。連結板部１８は、当接板部１８ａが頭つなぎ材１７の下面に当接され、取付板部１８ｂがガセットプレート１６側に位置するようにして頭つなぎ材１７に取り付けられている。
【００３８】
一方、壁パネル２１は、外装材２２と、その背面側に取り付けられるフレーム２３とから構成されている。フレーム２３は、垂直に延びる複数のスタッド２４と、これらスタッド２４の上下を繋げるランナー材２５とから構成されている。スタッド２４及びランナー材２５はいずれも溝形鋼とされている。
【００３９】
スタッド２４の上側に配置されるランナー材２５のウェブ面には、壁パネル２１の短手方向（屋内外方向）に延びるスリット２５ａが形成されている。スリット２５ａは、連結板部１８の取付板部１８ｂが挿入できるような長さ寸法（奥行寸法）に形成されている。
【００４０】
スリット２５ａの下方には、ウェブ面がスリット２５ａ側に向くようにしてスタッド２４が位置している。スタッド２４のウェブ面にはボルト孔２４ａが形成されている。
【００４１】
スタッド２４のボルト孔２４ａと連結板部１８のボルト孔１８ｃとは互いに略同一径に形成されており、連結板部１８がスリット２５ａに挿入された状態では、ボルト孔１８ｃとボルト孔２４ａとが水平方向に見て略同一軸線上になるようにそれぞれの部材の位置に形成されている。
【００４２】
次に、屋根トラス１１と壁パネル２１との連結方法について、図１及び図２を参照しながら説明する。
【００４３】
図１（ａ）に示すように、所定位置に配置された壁パネル２１の上方に屋根トラス１１を配置する。この場合、連結板部１８の取付板部１８ｂとスリット２５ａとが上下方向に見て一致するように屋根トラス１１を位置調整する。なお、第１の実施形態では上弦材１２等のトラス材が予め連結された屋根トラス１１を工場にて製造し、完成された屋根トラス１１に頭つなぎ材１７及び連結板部１８を一体的に取り付けたものを用いている。これにより、現場施工の負担が軽減される。
【００４４】
次に、図１（ｂ）に示すように、屋根トラス１１を上記位置のまま下方に移動させて、連結板部１８の取付板部１８ｂをスリット２５ａに挿入する。また、屋根トラス１１の他端部に設けられている連結板部１８の取付板部１８ｂ（図３参照）も同様に、対向配置されている壁パネル２１のスリット２５ａに挿入する。この場合、屋根トラス１１は、連結板部１８とスリット２５ａとが係合された状態で壁パネル２１に載置されている。この仮止め状態において、屋根トラス１１がその長手方向への移動が規制され、軒出入寸法が決められる。また、図２に示すように、連結板部１８のボルト孔１８ｃとスタッド２４のボルト孔２４ａとが水平方向に見て略同一軸線上になっているとともに、スタッド２４のウェブ面と取付板部１８ｂとの間に隙間が形成されている。
【００４５】
次に、ボルト孔１８ｃ及びボルト孔２４ａにボルト３０をねじ込んで、連結板部１８とスタッド２４とをボルト固定する。これにより、屋根トラス１１が壁パネル２１に本固定される。
【００４６】
以上説明した構成及び作用により、第１の実施形態における屋根トラス１１の連結構造では、以下に示す有利な効果が得られる。
【００４７】
壁パネル２１に設けたスリット２５ａに屋根トラス１１に設けた連結板部１８の取付板部１８ｂを挿入する構成とした。これにより、仮止め状態において、屋根トラス１１の位置決めが行われ、建物１０の軒出入寸法が決まる。その結果、屋根トラス１１を壁パネル２１に連結する際に、所望の軒出入寸法を得るための位置調整を行う必要がないため、現場施工性を向上させることができる。また、この場合、強風等による屋根トラス１１の位置ずれを抑制することができるとともに壁パネル２１の倒れ防止効果も奏する。
【００４８】
屋根トラス１１の位置決めを、凹凸関係にある連結板部１８とスリット２５ａとを係合させることにより行った。これにより、複雑な位置決め手段を要せず、屋根トラス１１の位置決めを好適に行うことができる。
【００４９】
スリット２５ａを壁パネル２１の上側のランナー材２５に設けるとともに、連結板部１８を屋根トラス１１の下面に設けた。これにより、連結板部１８をスリット２５ａに挿入するようにして屋根トラス１１を壁パネル２１に載置するだけで屋根トラス１１の位置決めを行うことができる。また、連結板部１８がスリット２５ａに挿入されて壁パネル２１内に収まるため、連結板部１８及びスリット２５ａが壁パネル２１の屋外側側面に露出することがない。その結果、連結板部１８及びスリット２５ａが要因となって建物１０の美観が損なわれることがない。さらに、外装材２１と無関係にスリット２５ａをランナー材２５に形成することができる。すなわち、工場において、ランナー材２５にスリット２５ａを形成する製造工程と外装材２１の製造工程とを別工程とすることができるため、工場生産に適している。この場合、建物１０の外観を構成する外装材２３に傷がつく等の不都合を抑制する効果も奏する。
【００５０】
連結板部１８の取付板部１８ｂをスリット２５ａに挿入した状態で、その取付板部１８ｂをスタッド２４に直接ボルト固定した。これにより、従来技術のようにあおり止め金物を壁パネル２１に取り付けて連結する場合と比較して、より強固に連結することができる。
【００５１】
連結板部１８を頭つなぎ材１７を介してガセットプレート３７の下部に取り付けた。これにより、上弦材３２等のトラス材に連結板部１８を形成する必要がないため、トラス材を加工する必要がない。その結果、既往のトラス材をそのまま用いることができる。
【００５２】
頭つなぎ材１７及び連結板部１８を屋根トラス１１に一体に設けた。これにより、壁パネル２１の上面に沿って頭つなぎ材を設ける必要もないし、連結板部１８を壁パネル２１などに設ける必要もないため、現場施工の負担が軽減する。
【００５３】
また、頭つなぎ材１７の幅寸法を、上弦材１２の幅寸法とガセットプレート１６の厚さ寸法との合計寸法と略同一寸法に設定した。これにより、一般に壁パネル２１の上部に沿って設ける構成と比較して、大幅なコスト低減を図ることができる。
【００５４】
さらに、木製の頭つなぎ材１７を用いる構成とした。これにより、第１の実施形態のように建物１０がスチールハウスの場合には熱橋防止効果を奏する。すなわち、例えば、上弦材１２の先端部（軒先部）が外気により冷却された場合、その冷熱が屋根トラス１１からスタッド２４へと伝わる熱伝達を抑制することができる。その結果、スタッド２４が冷却されることにより発生する壁パネル２１内での結露を抑制することができる。
【００５５】
［第１の実施形態における別例］
第１の実施形態では、頭つなぎ材１７及び連結板部１８を屋根トラス１１に設け、スリット２５ａを壁パネル２１に設けたが、これを次のように変更してもよい。例えば、頭つなぎ材１７を壁パネル２１の上面に設け、頭つなぎ材１７の上面に取付板部１８ｂが上方に向くように連結板部１８を設けるとともに、スリット２５ａを屋根トラス１１に設けてもよい。
【００５６】
第１の実施形態では、凹凸関係を、板状の連結板部１８とスリット２５ａとによって構築したが、これに限定されない。例えば、円柱状の連結ピンと円形状の孔部などであってもよい。
【００５７】
第１の実施形態では、屋根トラス１１のトラス形状をハウトラスとして形成したが、特定のトラス形状に限定されることはなく、例えば、キングトラスやフィンクトラスなどであってもよい。
【００５８】
第１の実施形態では、スチールハウスの建物１０に適用したが、特定の工法により建造された建物１０に限定されることはなく、屋根が屋根トラス１１により構成される建物１０であればよい。
【００５９】
［第２の実施形態］
第１の実施形態における屋根トラス１１の場合、上弦材１２等のトラス材のウェブ面とガセットプレート１６等の表面とが当接された状態で、各トラス材をガセットプレート１６等に連結する必要がある。このため、例えば、図３に示す連結箇所Ａにおいては、上弦材１２が連結されたガセットプレート１６の裏面に斜材１４及び束材１５が連結されている。したがって、連結箇所Ａでは、上弦材１２の厚さ寸法と斜材１４（束材１５）の厚さ寸法とを合計した厚さ寸法あり、運搬時には屋根トラス１１がかさばって不利な面がある。
【００６０】
また、上弦材１２等のトラス材に他のトラス材を連結すれば連結状態を安定保持できる。この場合、ウェブ面同士を当接させて連結することとなるが、上記連結方法では、トラス材のウェブ面の向きに制約が生じる。このため、どうしてもトラス材の開口部側に他のトラス材を連結しなければならない場合には、開口部にその開口部を塞ぐように例えば断面コ字状のトラス片を取り付けて、そのトラス片の表面に連結することとなる。したがって、第１の実施形態では、トラス片の取付作業を伴うため、施工性の面でも不利な面がある。
【００６１】
そこで、第２の実施形態では、上記事情を勘案してなされたものであり、その構成について、以下に説明する。なお、図４（ａ）は第２の実施形態における屋根トラスと壁パネルとが分離している状態を示す斜視図、（ｂ）は屋根トラスと壁パネルとの連結状態を示す斜視図、図５は屋根トラス全体を示す立面図である。また、第１の実施形態と同一の構成は同一符号を付して説明を省略し、第１の実施形態との相違点を中心に説明する。
【００６２】
図５に示すように、屋根トラス３１（クイーントラス）は、上弦材３２、下弦材３３、斜材３４、束材３５、軒先材３６及びガセットプレート３７，３８，３９，４０を備えている。
【００６３】
上弦材３２、下弦材３３、斜材３４、束材３５の長さ寸法（各トラス材の長手方向の長さ寸法）は、それぞれ配置されるガセットプレート間を連結できる程度の長さ寸法に設定されている。軒先材３６の長手方向の長さ寸法は、建物１０の軒先部を形成できる程度の長さ寸法に設定されている。また、上弦材３２同士、下弦材３３同士のように同種類同士のトラス材は互いに同一形状・同一寸法に形成されている。
【００６４】
屋根トラス３１は、上弦材３２等の各トラス材がガセットプレート３７，３８，３９，４０により適宜連結されることで、全体としてトラス形状に形成されるようになっている。
【００６５】
次にガセットプレートの構成及びトラス材との連結方法について、ガセットプレート３７の連結箇所を中心に説明する。
【００６６】
図４（ａ）に示すように、ガセットプレート３７は中空筒状をなし、トラス材が挿入される連結孔３７ａ，３７ｂ，３７ｃを有している。
【００６７】
連結孔３７ａには上弦材３２が、連結孔３７ｂには下弦材３３が、連結孔３７ｃには軒先材３６が挿入され、ボルト等により連結固定されるようになっている。（図４（ｂ）参照）。この連結により上弦材３２等の位置決めが行われるとともに各トラス材が同一平面内に配置される。また、上弦材３２等の各トラス材のウェブ面が同一方向を向いて連結される。
【００６８】
ガセットプレート３７の下面には、頭つなぎ材１７が一体的に取り付けられ、その下面に連結板部１８が一体的に取り付けられている。
【００６９】
その他のガセットプレート３８，３９，４０も同様に、中空筒状をなし、上弦材３２等のトラス材を挿入するだけで当該トラス材が位置決めされるように、それぞれ異なる位置・数の連結孔が形成されている。
【００７０】
上記方法により各トラス材とガセットプレート３７等とが連結された屋根トラス３１が、第１の実施形態と同様の連結方法により壁パネル２１に連結固定される。
【００７１】
以上説明した構成及び作用により、第２の実施形態における屋根トラスの連結構造では、第１の実施形態とは異なる有利な効果が得られる。
【００７２】
中空筒状のガセットプレート３７等に、短尺状の上弦材３２等のトラス材を挿入することにより、屋根トラス３１をトラス形状に形成した。これにより、各トラス材の位置調整を行わなくても屋根トラス３１を形成することができる。また、各トラス材が同一平面内に配置されるため、効率的に運搬車に積載することができる。さらに、トラス形状に形成されていない状態のトラス材及びガセットプレート３７等を運搬車に隙間無くを積載して運搬することにより、飛躍的に運送効率を向上させることができる。
【００７３】
上弦材３２等の各トラス材を、そのウェブ面が同一側に向くようにガセットプレート３７等に挿入した。これにより、各トラス材のウェブ面に跨って他のトラス材を連結することができる。
【００７４】
対向して並べられている壁パネル２１にガセットプレート３７をそれぞれ取り付け、これらガセットプレート３７に下弦材３３の両端を挿入して連結するすることにより、壁パネル２１が強風等により倒れることを抑制することができる。すなわち、トラス形状をなす屋根トラス３１を壁パネル２１に載置しなくても、壁パネル２１の倒れ防止効果が得られる。
【００７５】
［第２の実施形態における別例］
なお、以上説明した第２の実施形態に限らず、例えば以下に別例として示した形態で実施することもできる。
【００７６】
第２の実施形態では、上弦材３２等の各トラス材を、そのウェブ面が同一側に向くようにガセットプレート３７等に挿入したが、必ずしも同一側に向ける必要はなく、建物１０の小屋組みの構造に応じて、各トラス材のウェブ面の向きを変更してもよい。
【００７７】
第２の実施形態では、ガセットプレート３７の下面に頭つなぎ材１７及び連結板部１８を設けたが、次のように変更してもよい。例えば、図６（ａ）に示すように、頭つなぎ材１７を設けずに、ガセットプレート４１の側面から下方に延びる連結部４１ａを一体に形成してもよい。これによれば、第２の実施形態のようにガセットプレート３７と頭つなぎ材１７と、または頭つなぎ材１７と連結板部１８とが強風等によって剥れる等の不具合を解消することができる。また、この場合、連結部４１ａが壁パネル２１のスリット２５ａに挿入された状態で、連結部４１ａとスタッド２４との間に緩衝材を設けてもよい。これにより、強風等の外力に対する抵抗力を更に向上させることができる。
【００７８】
第２の実施形態では、ガセットプレート３７等を中空筒状に形成したが、次のように変更してもよい。例えば、図６（ｂ）に示すガセットプレート４２のように、片方の側面を開口させ、連結口４２ａ，４２ｂ，４２ｃを形成してもよい。この場合、これら連結口４２ａ，４２ｂ，４２ｃに上弦材３２、下弦材３３、軒先材３６がそれぞれ嵌め込まれてボルト等により固定されるようになっている。これによれば、ガセットプレート４２に上弦材３２等のトラス材を嵌め込むだけで、第２の実施形態と同様に、トラス材の位置が決まったり、同一平面内に配置することができたり等の効果が得られる。
【図面の簡単な説明】
【００７９】
【図１】（ａ）第１の実施形態における屋根トラスと壁パネルとが分離している状態を示す斜視図、（ｂ）屋根トラスと壁パネルとの連結状態を示す斜視図。
【図２】屋根トラスと壁パネルとの連結状態を示す縦断面図。
【図３】屋根トラス全体を示す立面図。
【図４】（ａ）第２の実施形態における屋根トラスと壁パネルとが分離している状態を示す斜視図、（ｂ）屋根トラスと壁パネルとの連結状態を示す斜視図。
【図５】屋根トラス全体を示す立面図。
【図６】（ａ）（ｂ）屋根トラスの連結構造の別例を示す斜視図。
【図７】従来の屋根トラスの連結構造を示す斜視図。
【符号の説明】
【００８０】
１０…建物、１１…屋根トラス、１２…上弦材、１３…下弦材、１４…斜材、１５…束材、１６…連結金具としてのガセットプレート、１７…頭つなぎ材、１８…位置決め手段としての連結板部、２１…外壁としての壁パネル、２２…外装材、２４…柱材としてのスタッド、２５…横材としてのランナー材、２５ａ…位置決め手段としてのスリット、３０…ボルト。
【図１】
2008208652.tif 000003
【図２】
2008208652.tif 000004
【図３】
2008208652.tif 000005
【図４】
2008208652.tif 000006
【図５】
2008208652.tif 000007
【図６】
2008208652.tif 000008
【図７】
2008208652.tif 000009